(57)【特許請求の範囲】
【請求項１】
左右の背支桿に背もたれの両側部を外装して該背もたれを前記背支桿に支持させ、前記背もたれの側部における中間高さ位置に設けた凹部に肘掛を取り付けてなる椅子において、
前記凹部が、前記肘掛を取り外した状態で、前記背支桿の一部を手掛け可能に露出させるものであり、
前記肘掛が、前記凹部に対応した形状を有した取付部材を一体に設けたものであり、当該取付部材が、前記背支桿の露出した部分を貫通させる背支桿挿通孔と、前記背支桿を軸とした当該取付部材の内側への回転を規制するリブとを備えたものであり、
前記取付部材を前記凹部に嵌め込み、前記背支桿貫通孔に前記背支桿を通した際に、前記リブが、前記凹部を形成する壁部の前縁部に当たることによって、前記肘掛の前記背支桿を軸とした内側への回転を規制するようにしていることを特徴とする椅子。
【請求項２】
背もたれの両側部に凹部を設けている請求項１記載の椅子。
【請求項３】
背もたれが、両側部の外縁に背支桿の外周に嵌まり込む筒状取付部分を備えてなる一体成形品であり、凹部が前記筒状取付部分を途中で分断するよう成形時に同時に作られたものである請求項１又は２記載の椅子。
【請求項４】
凹部が、正面視部分円弧状をなすものである請求項1乃至３何れか記載の椅子。
【発明の詳細な説明】
【０００１】
【発明の属する技術分野】
本発明は、会議場や講演会場などで好適に使用される椅子に関するものである。
【０００２】
【従来の技術】
この種の椅子として、例えば、パイプ材などを主体にして軽量に作られものが種々知られているが、かかる椅子においては、パイプ材製の左右の背支桿に合成樹脂製の背もたれの両側部を外装して該背もたれを前記背支桿に支持させたものが少なくない。
【０００３】
このような構造のものでは、背もたれの下縁よりも下側において露出している背支桿の下側部分を把持して、移動作業や撤去作業などを行うことがある。
【０００４】
【発明が解決しようとする課題】
ところが、従来のものは、座り心地や背もたれの取付強度を優先して背もたれの上下方向寸法を大きく設定すると、背支桿の把持し得る露出部分が無くなったり座近傍の限られた低い位置にのみ存在することになり、移動作業や撤去作業などに支障をきたすという問題がある。
【０００５】
【課題を解決するための手段】
前記の問題点を解決するために、本発明は、左右の背支桿に背もたれの両側部を外装して該背もたれを前記背支桿に支持させ、前記背もたれの側部における中間高さ位置に設けた凹部に肘掛を取り付けてなる椅子において、前記凹部が、前記肘掛を取り外した状態で、前記背支桿の一部を手掛け可能に露出させるものであり、前記肘掛が、前記凹部に対応した形状を有した取付部材を一体に設けたものであり、当該取付部材が、前記背支桿の露出した部分を貫通させる背支桿挿通孔と、前記背支桿を軸とした当該取付部材の内側への回転を規制するリブとを備えたものであり、前記取付部材を前記凹部に嵌め込み、前記背支桿貫通孔に前記背支桿を通した際に、前記リブが、前記凹部を形成する壁部の前縁部に当たることによって、前記肘掛の前記背支桿を軸とした内側への回転を規制するようにしたものである。
【０００６】
このような構成によれば、前記凹部の存在により外部に露出することになる背支桿の中間部位を把持して移動させることが可能になる。そのため、背もたれの上下方向寸法を小さくして背もたれの背支桿に対する取付け代を縮小してしまったり、背もたれの背保持機能を低下させてしまうような不具合を招くことなしに、移動作業や撤去作業などの便に供することができることになる。
【０００７】
このような移動作業等の効率を特に向上させるには、背もたれの両側部に前記のような凹部を設けておくのがよい。すなわち、かかる構成によれば、複数の椅子を接近させて隣接配置した場合にとりわけ便利なものとなる。具体的に説明すれば、このような構成の椅子を複数台隣接配置した場合には、例えば、一方の椅子の右側の背支桿と他方の椅子の左側の背支桿とが平行に近接することになる。そのため、両椅子の対面している凹部に手を入れて近接する２本の背支桿を同時に把持することが可能になる。したがって、両手を使えば、３台の椅子の背支桿を同時に把持することが可能となり、それら３台の椅子を一気に移動させることもできるようになる。
【０００８】
構成の簡略化を図るには、背もたれを、両側部の外縁に背支桿の外周に嵌まり込む筒状取付部分を備えてなる一体成形品とするのがよい。この場合、凹部を、前記筒状取付部分を途中で分断するような形態にしておき、背もたれの成形時に同時に形成するようにしておくのが好ましい。
【０００９】
概観を良好なものにするとともに背もたれに集中応力が作用し難くするには、凹部を正面視部分円弧状をなすものにしておくのが望ましい。
また、前記肘掛が、前記凹部に対応した形状を有した取付部材を一体に設けたものであり、当該取付部材が、前記背支桿の露出した部分を貫通させる背支桿挿通孔と、前記背支桿を軸とした当該取付部材の内側への回転を規制するリブとを備えたものであることが好ましい。
【００１０】
【発明の実施の形態】
図示した椅子Ｉは、会議場や講演会場などで使用されるもので、脚部１と座部２と背部３とを具備したスタッキング可能なものである。
【００１１】
脚部１は、スチールパイプ材によって形成されたもので、左右の前脚１１と、前後２箇所に滑動防止部材１３１を有し前記各前脚１１から後方に延ばし設けた左右のベース部１３と、これら両ベース部１３の後方から起立する左右の後脚１２とを具備したものである。
【００１２】
座部２は、前記脚部１の上端にスチールパイプ材によって前記脚部１と一体に平面視ロ字状に形成した座受部２１に対して、図示しない適宜の手段によって取り付けてなるもので、剛性を有する図示しない下枠部と、この下枠部の内側に略平面状に張り渡した張設材２２と、前記下枠部とは別体に構成され少なくとも該下枠部の上部を覆う上枠部２３とを具備してなるものである。
【００１３】
背部３は、前記後脚１２を上方に延長した背支桿３１と、両側部３２１を外装して前記背支桿３１に支持される背もたれ３２とを具備してなる。具体的には、この背もたれ３２は、合成樹脂製のもので、両側部３２１の外縁に背支桿３１の外周に嵌まり込む筒状取付部分たる背支桿取付部３３を一体に成形しており、この背支桿取付部３３に前記背支桿３１を上端側から挿入して該背支桿３１に支持させたものである。
【００１４】
このよう構成した椅子Ｉにおいて、本実施の形態では、前記背もたれ３２の側部３２１における中間高さ位置に、前記背支桿３１の一部を手掛け可能に露出させる凹部３４を設けている。
【００１５】
この凹部３４は、前記背支桿取付部３３を途中で分断するように成形時に背もたれ３２と同時に作られたもので、背もたれ３２を側部３２１から切り欠くように設けた正面視部分円弧状をなす壁部３２２の内側に形成されたものである。そして、この凹部３４は、該凹部３４内に標準的な手の大きさを有する者が手を入れることができる程度の大きさに設けたものである。さらに、左右同高さ位置に設けて、隣接した二つの椅子Ｉの背支桿３１の露出した部分である露出部３１１を一緒に把持できるようにしている。
【００１６】
しかして以上のように構成した椅子Ｉを、移動や撤去やスタッキングなどの目的で持ち上げて運ぶ場合には、凹部３４に手を入れて背支桿３１の露出部３１１を把持して運ぶようにする。さらに、このような椅子Ｉを複数台隣接配置した状態から、別の場所に移動する際には、例えば、図４に示すように３台隣接配置した椅子Ｉの中央に位置する椅子Ｉと、この椅子Ｉの左右に隣接する椅子Ｉとの対面している２対の凹部３４に、使用者Ｐが、左右の手をそれぞれ入れて、平行に近接する２本の背支桿３１の露出部３１１を同時に把持し、３台の椅子Ｉを一気に移動させるようにする。もちろん、片手で一台ずつ計２台ずつ運んで良いし、片手で隣接する椅子Ｉを２台ずつ計４台運んでも良い。なお、このように複数台の椅子Ｉを運ぶ場合には、下端部に連結部材を設けて、隣接する左右の椅子Ｉ同士を連結して運搬作業をしやすくしてもよい。
【００１７】
さらに、本実施の形態においては、前記凹部３４を利用して、図５に示すように肘掛４を取り付けられるようにしている。具体的には、肘掛４に、背支桿３１の露出部３１１を貫通させる背支桿挿通孔５２を具備してなり前記凹部３４に対応した形状を有した取付部材５を一体に設けている。
【００１８】
肘掛４は、図５から図９に示すように、合成樹脂によって、背もたれ３２から前方へ突出する平面視略長方形の板状に成形したもので、上端に着座者が肘を載せることが可能な肘掛面４１を備えたものである。
【００１９】
取付部材５は、取付部材本体５１を主体として構成したもので、この取付部材本体５１に、背支桿挿通孔５２と、取付部材５の背支桿３１を軸とした前方への回転を規制するリブ５３とを具備して構成したものである。
【００２０】
取付部材本体５１は、凹部３４に嵌め込んだ際に、該凹部３４を形成する壁部３１１に接合する取付面５１１を備えて背もたれ３２の一部をなすように成形したものである。背支桿挿通孔５２は、背もたれ３２の前記背支桿取付部３３に対応した位置に形成して外該背支桿取付部３３の分断した部分を連続させるように設けたものである。リブ５３は、前記取付面５１１の前縁側に沿って設けたもので、取付部材５を凹部３４に嵌め込み、背支桿３１を背支桿貫通孔５２に通した際に、図１０に示すように凹部３４を形成する壁部３２１の前縁部３２１ａ当てることによって、肘掛４の背支桿３１を軸とした内側への回転を規制するようにしたものである。しかして、このように構成された取付部材５によって、肘掛４は、前記凹部３４を利用して背支桿３１に対して片持ち状に取り付けられることになり、構成を簡素にできるとともに、肘掛４の下方の空間を大きく取って着座者の着座姿勢を規制しないようにできる。
【００２１】
そして、このような肘掛４を、前記凹部３３を利用して取り付ける場合には、椅子Ｉの組立時において、まず、前記肘掛４に一体に設けた取付部材５を、取付面５１１と壁面３２１を接合させるようにして背もたれ３２の凹部３４に嵌め込む。続いて背支桿取付部３３および背支桿挿通孔５２に、背支桿３１を挿入して、背もたれ３２の下端部を図示しないビス止めするなど適宜の手段で固定する。すなわち、ちょうど背支桿３１の露出部３１１が、前記背支桿挿通孔５２内に収まることになる。この際、図１１に示すように、凹部３４を形成する壁面３１１と取付部材５の取付面５１１との接合面Ｃが、背支桿３１に対して傾斜して交差することになるため、取付部材５と一体に設けられた肘掛４は、前記背支桿３１を軸とした回転を抑制されることになる。さらに、肘掛４は、前記リブ５３によって内側への回転を規制されているので、取り付けた状態での回転方向のぐらつきを防ぐことができる。
【００２２】
以上詳述した椅子Ｉは、背もたれ３２の側部３２１における中間高さ位置に、凹部３４を設けたので、この凹部３４によって外部に露出する背支桿３１の露出部３１１を把持して該椅子Ｉを移動させることができる。さらに本実施の形態では、移動や撤去の作業が多い会議場や講演会場などで使用する椅子Ｉに適用したので、特にその効果が発揮できる。
【００２３】
また、背もたれ３２の両側に凹部３４を設けたので、該椅子Ｉを複数台隣接した場合には、隣り合う椅子Ｉの対面している凹部３４に手を入れて近接する２本の背支桿３１の露出部３１１を同時に把持して、３台もしくは４台の椅子Ｉを一度に移動することができる。
【００２４】
また、背もたれ３２を両側部３２１の外縁に背支桿３１の外周に嵌まり込む筒状取付部分たる背支桿取付部３３を一体に備えて成形し、前記凹部３４をこの背支桿取付部３３を途中で分断するように設けたので、背もたれ３２を背支桿３１に支持させるための機構を設けることなく、構成を簡略化できる。
【００２５】
また、凹部３４を、正面視部分円弧状をなすように設けたので、椅子Ｉの概観を良好なものとすることができる。さらに、着座者が背もたれた場合などに、該背もたれ３２に集中応力が作用し難くできる。また、本実施の形態においては、肘掛４を取付部材５により該凹部３４に取り付けるにあたって、前記肘掛４の背支桿３１を軸とした回転を抑制することができる。
【００２６】
本発明は、上記実施形態に限られない。
【００２７】
例えば、本実施の形態においては、椅子を、会議場や講演会場などで使用されるスタッキング可能な椅子Ｉとしたが、座及び背もたれを布地などの張設材で構成したような椅子に適用してもよい。また、食卓用の椅子などに適用してもよい。
【００２８】
また、本実施の形態では、凹部３４を利用して肘掛４を取り付けるようにしたが、例えばメモ台のようなものを取り付けるようにしてもよい。
【００２９】
その他、各部の具体的構成についても上記実施形態に限られるものではなく、本発明の趣旨を逸脱しない範囲で種々変形が可能である。
【００３０】
【発明の効果】
以上詳述したように、背もたれに凹部を設けたことにより、この凹部において外部に露出することになる背支桿の中間部位を把持して移動させることができる。そのため、背もたれの上下方向寸法を小さくして背もたれの背支桿に対する取付け代を縮小してしまったり、背もたれの背保持機能を低下させてしまうような不具合を招くことなしに、移動作業や撤去作業などの便に供することができる。
【図面の簡単な説明】
【図１】本発明の一実施形態を示す外観斜視図。
【図２】同正面図。
【図３】同側面図。
【図４】同実施形態の椅子の持ち運び例を示す図。
【図５】同実施形態の椅子に肘掛を取り付けた様子を示す斜視図。
【図６】図５における分解斜視図。
【図７】同肘掛を示す平面図。
【図８】同肘掛を示す正面図。
【図９】同肘掛を示す側面図。
【図１０】同肘掛の取り付け状態を示す図５におけるＸ−Ｘ端面図。
【図１１】同肘掛の取り付け状態を示す図５におけるＹ−Ｙ端面図。
【符号の説明】
３１・・・背支桿
３２・・・背もたれ
３３・・・筒状取付部分（背支桿取付部）
３４・・凹部
３２１・・・側部
Ｉ・・・椅子
【図１】
0004522030.tif 000002
【図２】
0004522030.tif 000003
【図３】
0004522030.tif 000004
【図４】
0004522030.tif 000005
【図５】
0004522030.tif 000006
【図６】
0004522030.tif 000007
【図７】
0004522030.tif 000008
【図８】
0004522030.tif 000009
【図９】
0004522030.tif 000010
【図１０】
0004522030.tif 000011
【図１１】
0004522030.tif 000012